(57)【要約】【課題】水を与えても、植物が生長し根が張り出しても栽培ポット部が変形や破損されることがなく、また、土の安定性も確保でき、根の張りかたも均等になり、植物が成長しても安定性のよいフラワーグリーティングカードを提供する。【解決手段】内面にメッセージを記載できると共に、植物の栽培ができるフラワーグリーティングカードにおいて、略中央の折れ線１１ａにより分割された２枚の扉部１１ｂ，１１ｃが上下に開閉可能なシート部１１と、シート部１１の内面に折り畳まれて収容され、合成樹脂からなる伸縮自在のジャバラ状の栽培ポット部１３と、シート部１１の内面に貼付され、栽培ポット部１３を折り畳んだ状態で保持する保持ベルト１２を備える。【選択図】図１
2007074903.tif 000002
【特許請求の範囲】
【請求項１】
内面にメッセージを記載できると共に、植物の栽培ができるフラワーグリーティングカードにおいて、
略中央の折れ線により分割された２枚の扉部が上下に開閉可能なシート部と、
前記シート部の内面に折り畳まれて収容され、合成樹脂からなる伸縮自在のジャバラ状の栽培ポット部と、
を含むフラワーグリーティングカード。
【請求項２】
請求項１に記載のフラワーグリーティングカードにおいて、
前記シート部の内面に貼付され、前記栽培ポット部を折り畳んだ状態で保持する保持部材を備えること、
を特徴とするフラワーグリーティングカード。
【請求項３】
請求項１に記載のフラワーグリーティングカードにおいて、
前記２枚の扉部を開いた状態で支持する支持部材を備えること、
を特徴とするフラワーグリーティングカード。
【請求項４】
請求項１に記載のフラワーグリーティングカードにおいて、
前記シート部の内面に装着され、種子及びその種子を栽培する土を備えること、
を特徴とするフラワーグリーティングカード。
【発明の詳細な説明】
【技術分野】
【０００１】
本発明は、内面にメッセージを記載できると共に、植物の栽培ができるフラワーグリーティングカードに関するものである。
【背景技術】
【０００２】
この種のフラワーグリーティングカードは、カード体を左右に開閉自在にして、カード体の中央の折れ線を挟んで内片を接着し、カード体と内片とで栽培ポットを形成して、その中に種子と土を入れて、植物を育てるようにしたものであった（例えば、特許文献１）。
【０００３】
しかし、上述した従来のカードは、カード体と内片とで栽培ポットを形成していたので、栽培時に与える水により、カード体と内片が変形したり、接着部分が剥がれてしまう可能性があった。この変形や接着部分が剥がれは、植物が生長し根が張り出すと顕著になる。  一方、栽培ポットの形状によって、底面が斜めになりチップ状の土に水を与えて膨らんだとき土の上面が水平にならず、植物の根の張りかたが片寄ってしまい正常な育成にとって、好ましいものではなかった。
また、栽培ポットは、折り畳み時の収容性をよくするため、カード体の中央近くにとりつけてあるため、栽培時に比較的高い位置になり、植物が成長すると不安定であった。
【特許文献１】実用新案登録第３１０５６２１号公報
【発明の開示】
【発明が解決しようとする課題】
【０００４】
本発明の課題は、水を与えても、植物が生長し根が張り出しても栽培ポット部が変形や破損されることがなく、また、土の安定性も確保でき、根の張りかたも均等になり、植物が成長しても安定性のよいフラワーグリーティングカードを提供することである。
【課題を解決するための手段】
【０００５】
前記課題を解決するために、第１の発明は、内面にメッセージを記載できると共に、植物の栽培ができるフラワーグリーティングカードにおいて、略中央の折れ線により分割された２枚の扉部が上下に開閉可能なシート部と、前記シート部の内面に折り畳まれて収容され、合成樹脂からなる伸縮自在のジャバラ状の栽培ポット部と、を含むフラワーグリーティングカードを提供する。
【０００６】
第２の発明は、第１の発明のフラワーグリーティングカードにおいて、前記シート部の内面に貼付され、前記栽培ポット部を折り畳んだ状態で保持する保持部材を備えること、を特徴とするフラワーグリーティングカードを提供する。
【０００７】
第３の発明は、第１の発明のフラワーグリーティングカードにおいて、前記２枚の扉部を開いた状態で支持する支持部材を備えること、を特徴とするフラワーグリーティングカードを提供する。
【０００８】
第４の発明は、第１の発明のフラワーグリーティングカードにおいて、前記シート部の内面に装着され、種子及びその種子を栽培する土を備えること、を特徴とするフラワーグリーティングカードを提供する。
【発明の効果】
【０００９】
以上説明したように、本発明によれば、合成樹脂からなる伸縮自在のジャバラ状の栽培ポット部を用いているので、種子チップに水を与えても、水漏れや、変形のおそれがなくなった。また、十分な容積を確保できるので、土のバランスがよくなり、根がはれて生育がよくなる。
【００１０】
また、シート部の内面に栽培ポットを折り畳んだ状態で保持する保持部材を設けたので、シート部を折り畳んだ状態で、栽培ポット部の厚みを押さえ、確実に保持することができる。
【００１１】
さらに、２枚の扉部を開いた状態で支持する支持部材を設けたので、シート部を開いたときに、扉部が傾いて閉じてしまうことがない。
【発明を実施するための最良の形態】
【００１２】
本発明は、水を与えても、植物が生長し根が張り出しても栽培ポット部が変形や破損されることがなく、また、土の安定性も確保でき、根の張りかたも均等になり、植物が成長しても安定性のよいフラワーグリーティングカードを提供するという目的を、２枚の扉部１１ｂ，１１ｃが上下に開閉可能なシート部１１と、シート部１１の内面に折り畳まれて収容され、合成樹脂からなる伸縮自在のジャバラ状の栽培ポット部１３とを備えることによって実現する。
【実施例１】
【００１３】
以下、図面等を参照して、本発明の実施例をあげて、さらに詳しく説明する。
図１は、本発明によるフラワーグリーティングカードの実施例１を示す展開斜視図である。
この実施例１のフラワーグリーティングカード１０は、シート部１１と、栽培ポット部１２と、保持ベルト部１３と、サイドステイ部１４と、種子チップ１５等とを備えている。
【００１４】
シート部１１は、略中央の折り加工で形成された折れ線１１ａにより分割された２枚の扉部１１ｂ，１１ｃが、上下に開閉可能となっている。このシート部１１は、普通紙、合成紙等の板紙や、合成樹脂やアルミニウム、木材等の板材を使用することができる。上側の扉部１１ｃは、メッセージを記載する領域１１ｃ−１が設けられており、筆記適性を持たせる表面処理を施したり、筆記適性のよい紙を貼付するようにしてもよい。また、シート部１１は、様々な加工を施し、装飾してもよい。
【００１５】
栽培ポット部１２は、シート部１１の内面に折り畳まれて収容され、合成樹脂からなる伸縮自在のジャバラ状の容器である。この栽培ポット部１２は、水を入れたときに、水漏れしないように、ＥＶＡ，ＡＢＳ，ＰＥＴ，ポリエチレン，塩化ビニル等の合成樹脂により成形されている。この栽培ポット部１２は、直径が３０から５０ｍｍ程度であり、畳んだときの高さが５から１０ｍｍ程度、伸ばしたときの高さが３０から５０ｍｍ程度のものが好適に使用できる。
【００１６】
保持ベルト部１３は、シート部１１の内面の領域１１ｂ−１に貼付され、栽培ポット１２を折り畳んだ状態で保持する保持部材である。この保持ベルト部１３は、栽培ポット１２を貼付する領域１３ａ−１を備えた中央の基部１３ａと、基部１３ａの両サイドに連接され、栽培ポット１２を押さえるカバー部１３ｂ，１３ｃとを備えている。カバー部１３ｂは、爪部１３ａ−１が形成されており、カバー部１３ｃは、爪部１３ｂ−１が係合する孔部１３ｃ−１が形成されている。また、カバー部１３ｂは、タブ１３ｂ−２が設けられており、このタブ１３ｂ−２を摘んで、爪部１３ａ−１を孔部１３ｃ−１に挿入したり、抜き出したりすることができる。保持ベルト部１３は、基部１３ａと、カバー部１３ｂ，１３ｃとの間に、ミシン目１３ｄ，１３ｅが形成されており、折り曲げやすく、後でカバー部１３ｂ，１３ｃを基部１３ａから取り除くこともできる。
【００１７】
サイドステイ部１４は、２枚の扉部１１ｂ，１１ｃを開いた状態で支持する支持部材である。このサイドステイ部１４は、１／４の円の基部１４ａと、２枚の扉部１１ｂ，１１ｃに貼り合わせるために糊代部１４ｂ，１４ｃとを備えている。基部１４ａは。２枚の扉部１１ｂ，１１ｃを折り畳んだときに折り曲げられる折り筋１４ａ−１と、２枚の扉部１１ｂ，１１ｃを開いた状態（開いた角度が９０度の状態）で、内側に折り返して、開いた状態を維持するための折り筋１４ａ−２が形成されている。
【００１８】
種子チップ１５は、シート部１１の内面に領域１１ｂ−２に装着され、種子及びその種子を栽培する土を固めた円盤状のチップである。この種子チップ１５は、種子と土、必要であれば、肥料等を圧縮して成形したものである。この種子チップ１５は、栽培ポット部１２に入れて、水を与えると土が膨らみ、種子が数日で発芽する。種子は、その種類は問わないが、ハーブ類は育成が速く好適であり、また、直ぐに花が咲くものに限らない。種子チップ１５は、割れたりした場合を考慮して、紙製や合成樹脂製の袋１５ａに入れておくことが好ましい。
【００１９】
図２から図４は、実施例１のフラワーグリーティングカードの使用方法を説明する。このフラワーグリーティングカード１０は、扉部１１ｂ，１１ｃが折り畳まれた状態で、図示しない樹脂袋に封入されている。このフラワーグリーティングカード１０は、樹脂袋から取り出した状態で、図２に示すように、扉部１１ｃを矢印Ａのように開くと、扉部１１ｂには、栽培ポット部１２を保持した保持ベルト部１３と、種子チップ１５を包んだ袋１５ａが貼付されている。
【００２０】
図３に示すように、扉部１１ｃは、さらに矢印Ａの方向に開き、扉部１１ｂと略９０度の角度となるまで開く。このとき、扉部１１ｃの領域１１ｃ−１に記載されたメッセージは、読むことができる状態となる。
【００２１】
次に、保持ベルト部１３は、タブ１３ｂ−２を摘んで、爪部１３ｂ−１を孔部１２ｃ−１から外して、カバー部１３ｂ，１３ｃを矢印Ｂの方向にそれぞれ開く。また、種子チップ１５の袋１５ａは、扉部１１ｂから剥離する（矢印Ｃ参照）。
【００２２】
引き続いて、図４に示すように、栽培ポット１２は、矢印Ｄのように、上方に引き伸ばされる。そして、種子チップ１５は、袋１５ａから出されて、栽培ポット１２に入れられる（矢印Ｆ参照）。左右のサイドステイ部１４は、折り筋１４ａ−２を内側に折り返すことにより、扉部１１ｃが扉部１１ｂに対して、傾くことを防止することができる。なお、保持ベルト部１３は、カバー部１３ｂ，１３ｃをミシン目１３ｄ，１３ｅから切り取って、使用することができる。
【００２３】
本実施例によれば、合成樹脂からなる伸縮自在のジャバラ状の栽培ポット部１２を用いているので、種子チップ１５に水を与えても、水漏れや、変形のおそれがなくなった。また、十分な容積を確保できるので、土の安定性が図れ、根がはれて生育がよくなる。
【００２４】
また、シート部１１の内面に栽培ポット１２を折り畳んだ状態で保持する保持ベルト部１３を設けたので、シート部１１を折り畳んだ状態で、栽培ポット１２の厚みを押さえることができる。
【００２５】
さらに、２枚の扉部１１ｂ，１１ｃを開いた状態で支持するサイドステイ部１４を設けたので、シート部１１を開いたときに、扉部１１ｃが傾いて閉じてしまうことがない。
【実施例２】
【００２６】
図５は、本発明によるフラワーグリーティングカードの実施例２を示す斜視図である。
なお、前述した実施例１と同様な機能を果たす部分には、末尾に統一した符号を付して、重複する説明や図面を適宜省略する。
実施例２のフラワーグリーティングカード２０では、栽培ポット部２２は、シート部２１の内面に折り畳まれて収容され、放射方向に折り線（ひだ）のある伸縮自在のジャバラ状の容器である。この栽培ポット部２２は、扉部２１ｂの略中央に設けられている。この栽培ポット部２２の材質は、水が浸透しない紙、加工紙、シリコン樹脂、アルミニウム箔等を使用できる。この栽培ポット１２は、扉部２１ｃを開いた後に、矢印Ｇのように、ジャバラ状に上方に立つように成形されているが、シート部２１が折り畳まれたときには、扉部２１ｂ，２１ｃに挟まれて薄い略円板状の状態で収容されている。
【００２７】
また、実施例２は、種子２５Ａを入れた袋２５ａと、土を固めた土チップ２５Ｂを入れた袋２５ｂとを、別の袋２５ｃに入れてある。
【００２８】
（変形例）
以上説明した実施例に限定されることなく、種々の変形や変更が可能であって、それらも本発明の均等の範囲内である。
例えば、実施例１の栽培ポット部１２は、扉部１１ｂの右よりの領域に貼付した例で説明したが、実施例２の栽培ポット部２２のように、略中央に設けるようにしてもよい。この場合に、種子チップ１５は、シート部１１に挟まずに、別に販売してもよい。
また、いずれの実施例でも、種子と土の入った袋と、フラワーグリーティングカードは、複数種類別々に展示しておき、顧客が自由に選択して組み合わせられるようにしてもよい。この場合には、種子と土の入った袋は、実施例１のように、フラワーグリーティングカードに貼り付ける必要はない。
【図面の簡単な説明】
【００２９】
【図１】本発明によるフラワーグリーティングカードの実施例１を示す展開斜視図である。
【図２】実施例１のフラワーグリーティングカードの使用方法を説明する。
【図３】実施例１のフラワーグリーティングカードの使用方法を説明する。
【図４】実施例１のフラワーグリーティングカードの使用方法を説明する。
【図５】本発明によるフラワーグリーティングカードの実施例２を示す斜視図である。
【符号の説明】
【００３０】
１０、２０  フラワーグリーティングカード
１１、２１  シート部
１２、３１  栽培ポット部
１３  保持ベルト部
１４  サイドステイ部
１５  種子チップ
２５Ａ  種子
２５Ｂ  土チップ
【図１】
2007074903.tif 000003
【図２】
2007074903.tif 000004
【図３】
2007074903.tif 000005
【図４】
2007074903.tif 000006
【図５】
2007074903.tif 000007